(57)【要約】      （修正有）【課題】人体の首などの容易に着脱でき、かつ、外れたりしにくい温熱／冷却用パッドを提供する。【解決手段】布地から縫製された長尺状の袋体１０と、袋体１０に収容された吸水性ポリマーを含むシート状の吸水体と、一部を切欠いたリング状をなし、硬質でかつ弾力性を有する枠体２０とを備える。シート状の吸水体は布地とともに縫製され、布地及び／又は縫製孔を通じて吸水可能である。枠体２０は袋体１０の一表面に沿って枠体２０の両端部がポケット部１６に挿入された状態のように着脱自在に結合され、袋体１０が被装着部に巻き付いた状態を保形する。【選択図】図１
0003172197.tif 000002
【実用新案登録請求の範囲】
【請求項１】
布地から縫製された長尺状の袋体と、
前記袋体に収容された吸水性ポリマーを含むシート状の吸水体と、
一部を切欠いたリング状をなし、硬質でかつ弾力性を有する枠体と、
を備え、
前記シート状の吸水体は前記布地とともに縫製され、布地及び／又は縫製孔を通じて吸水可能であり、
前記枠体は前記袋体の一表面に沿って着脱自在に結合され、前記袋体が被装着部に巻き付いた状態を保形すること、
を特徴とする温熱／冷却用パッド。
【請求項２】
前記袋体の両端部分に前記枠体の両端部が挿入可能なポケット部を設けたこと、を特徴とする請求項１に記載の温熱／冷却用パッド。
【請求項３】
前記布地と前記吸水体とはステッチ縫合されていること、を特徴とする請求項１又は請求項２に記載の温熱／冷却用パッド。
【請求項４】
前記シート状の吸水体は吸水ポリマーを含む不織布であること、を特徴とする請求項１ないし請求項３のいずれかに記載の温熱／冷却用パッド。
【考案の詳細な説明】
【技術分野】
【０００１】
本考案は、温熱／冷却用パッド、特に、人体の首筋などを冷却、温熱するためのパッドに関する。
【背景技術】
【０００２】
従来、人体の首筋などを冷却あるいは温熱するには、手ぬぐいやタオルに冷水又は温水を浸み込ませ、首筋などに巻き付けていた。身近なものを利用して手軽ではあるが、外れやすく、保形性に欠けていた。吸水性シートを用いた吸水パッドも種々提供、提案されているが、使い勝手が良好なものは存在していない。
【０００３】
特許文献１には、冷却体又は発熱体を収容し、首の後部に配置される収容部と、該収容部の両端に連続されるとともに、先端にいくにしたがって細くなるように構成され、首に巻き付けられる一対の巻付部とを備えた首用パッドが記載されている。特許文献２には、ワイシャツの襟又は帯状の形をした高吸収性ポリマースポンジ本体の長手方向片側短部にボタンを設け、もう一方の短部にはボタンホルダーを設け、硬く絞った状態で首に巻き、ボタンで固定するネックタイトが記載されている。しかし、これらの首用パッド、ネックタイトでは保形性が十分でなく、首への着脱が煩雑である。
【先行技術文献】
【特許文献】
【０００４】
【特許文献１】特開２００７−３１９４２０号公報
【特許文献２】特開２００６−０４３１７０号公報
【考案の概要】
【考案が解決しようとする課題】
【０００５】
本考案の目的は、取扱いが容易で保形性を備えて装着部分から外れにくい温熱／冷却用パッドを提供することにある。
【課題を解決するための手段】
【０００６】
以上の目的を達成するため、本考案の一形態である温熱／冷却用パッドは、
布地から縫製された長尺状の袋体と、
前記袋体に収容された吸水性ポリマーを含むシート状の吸水体と、
一部を切欠いたリング状をなし、硬質でかつ弾力性を有する枠体と、
を備え、
前記シート状の吸水体は前記布地とともに縫製され、布地及び／又は縫製孔を通じて吸水可能であり、
前記枠体は前記袋体の一表面に沿って着脱自在に結合され、前記袋体が被装着部に巻き付いた状態を保形すること、
を特徴とする。
【０００７】
前記温熱／冷却用パッドにあっては、袋体に収容された吸水性ポリマーに温水や冷水を浸み込ませておけば、簡易な温熱／冷却効果を得ることができる。布地から縫製された長尺状の袋体と該袋体に収容されたシート状の吸水体は柔軟であり、保形性に欠ける。しかし、一部を切欠いたリング状をなし、硬質でかつ弾力性を有する枠体を長尺状の袋体に沿わせて結合させるため、枠体によって袋体に保形性が付与される。枠体を人体の首に巻き付く形状にしておけば、着脱は容易であり、かつ、簡単に外れることはない。
【０００８】
前記枠体を袋体に取り付ける構造は任意であり、袋体の両端部分に枠体のそれぞれの端部が挿入可能なポケット部を設けることが好ましく、それ以外の例えば凹凸部による嵌合方式であってもよい。
【０００９】
布地と吸水体とはステッチ縫合されていることが好ましい。ステッチ縫合の孔を通じて吸水体が効率的に吸水することができる。吸水体としては、吸水ポリマーを含む不織布を好適に用いることができる。
【考案の効果】
【００１０】
本考案によれば、保形性を備えおり、人体の首などに容易に着脱でき、かつ、外れたりしにくい温熱／冷却用パッドを得ることができる。
【図面の簡単な説明】
【００１１】
【図１】本考案の一実施例である温熱／冷却用パッドを示す説明図である。
【図２】（Ａ）は図１のＸ−Ｘ断面図、（Ｂ）は図１のＹ−Ｙ断面図である。
【図３】前記温熱／冷却用パッドに枠体を取り付けた状態を示す斜視図である。
【図４】前記温熱／冷却用パッドの使用状態を示す斜視図である。
【考案を実施するための形態】
【００１２】
以下、本考案に係る温熱／冷却用パッドの実施例について、添付図面を参照して説明する。
【００１３】
本考案の一実施例である温熱／冷却用パッド１は、図１に示すように、表面布地及び裏面布地から縫製された長尺状の袋体１０と、該袋体１０に収容された吸水性ポリマーを含むシート状の吸水体１５（図２参照）と、一部を切欠いたリング状をなし、硬質でかつ弾力性を有する枠体２０とで構成されている。
【００１４】
吸水体１５は表面布地及び裏面布地とともに縫製（好ましくは、ステッチ縫合）されている。ステッチ縫合された部分を点線１１で示し、図２に示すように、袋体１０はステッチ縫合によって長辺方向に五つ、短辺方向に四つの小部屋に分かれている。袋体１０の表面であって両端部分には、枠体２０を取り付けるためのポケット部１６が縫合されている。
【００１５】
シート状吸水体１５は吸水ポリマーを含む不織布を好適に用いることができる。吸水性ポリマーは従来よく知られた材料であり、不織布に含まれた状態で容易に入手することができる。但し、シート状吸水体１５は不織布以外であってもよい。
【００１６】
枠体２０は、ポリプロピレンなどの樹脂材からリング状に成形されたもので、両端部は前記ポケット部１６に挿入しやすいように円弧状に丸められている。枠体２０の両端部をポケット部１６に挿入した状態を図３に示す。枠体２０は弾力性を有するも硬質であるため、袋体１０をリング状に保形する。
【００１７】
温熱／冷却用パッド１は水に浸すことで、布地自体やステッチ縫合されているミシン目の孔から水が内部の吸水ポリマーに浸透する。ミシン目の孔やステッチ糸がシート状吸水体１５とも直接接しているので、水分の吸引効果が大きい。
【００１８】
このように水を含んだパッド１を、冷蔵庫などで冷却しておき、図４に示すように、人体の首筋に巻きつければ、冷却効果が発揮される。また、ミシン目の孔やステッチ糸から水分が気化する気化熱効果も相乗的に作用する。一方、パッド１を吸水状態で加熱しておけば、保温効果のある温熱パッド１として使用することができる。
【００１９】
つまり、温熱／冷却用パッド１は枠体２０を備えているがゆえに保形性が良好であり、かつ、枠体２０は弾力性を有するがゆえに首などに容易に着脱することができ、かつ、簡単に外れることはない。
【００２０】
前記パッド１は、袋体１０の布地として不透水性布地を使用してもよい。不透水性布地であれば、肌や衣類を濡らすことなく使用できる。不透水性であっても気化熱効果を良好なものとするためには通気性を有することが好ましい。布地が不透水性であっても、吸水はミシン目やステッチ糸を通じて行うことができる。袋体１０の表面は撥水処理が施されていることが好ましい。さらに、パッド１は全体的に抗菌、消臭又は防汚処理が施されていてもよい。
【００２１】
なお、本考案に係る温熱／冷却用パッドは前記実施例に限定するものではなく、その要旨の範囲内で種々に変更できることは勿論である。
【産業上の利用可能性】
【００２２】
以上のように、本考案は、温熱／冷却用パッドに有用であり、特に、人体の首などに容易に着脱でき、かつ、外れたりしにくい点で優れている。
【符号の説明】
【００２３】
１…温熱／冷却用パッド
１０…袋体
１１…ステッチ縫合部
１５…吸水体
１６…ポケット部
２０…枠体
【図１】
0003172197.tif 000003
【図２】
0003172197.tif 000004
【図３】
0003172197.tif 000005
【図４】
0003172197.tif 000006